Podtech/llm-jp-corpus-v4-ja_patent huggingface dataset:
【手続補正書】
【提出日】平成30年10月1日(2018.10.1)
【手続補正１】
【補正対象書類名】特許請求の範囲
【補正対象項目名】全文
【補正方法】変更
【補正の内容】
【特許請求の範囲】
【請求項１】
薬剤注射装置であって、
ハウジングと、
ハウジング内に配置された容器とを備え、容器は、針およびプランジャを有しており、かつ注射場所における患者への投与のための製品を収容するように構成されており、プランジャは、針を通って製品を吐出させるように構成され、針の一部分はハウジングから突き出し、薬剤注射装置がさらに、
容器の針に隣接してハウジングへと接続された針ガードであって、（ａ）針ガードがハウジングから延びて針のハウジングからの突出部分よりも延出する完全に延出した位置と、（ｂ）針ガードが針のハウジングからの突出とほぼ同じ距離だけハウジングから延出する中間位置と、（ｃ）ハウジングから突出する針のかなりの部分が針ガードを過ぎて露出する完全に引っ込んだ位置との間を、ハウジングに対して移動可能である、針ガードと、
針ガード上に配置され、ハウジングに対する針ガードの位置にもとづいて注射場所に対する針の位置の視覚的な表示を提供する少なくとも１つのしるしとを備える、薬剤注射装置。
【請求項２】
少なくとも１つのしるしが、（ａ）色、（ｂ）文字列によるしるし、（ｃ）画像、（ｄ）シンボル、（ｅ）図形、（ｆ）模様、（ｇ）照明付きの視覚インジケータ、のうちの少なくとも１つを備える、請求項１に記載の薬剤注射装置。
【請求項３】
針ガードを完全に延出した位置に向かって付勢する少なくとも１つのばねをさらに備える、請求項１または２に記載の薬剤注射装置。
【請求項４】
針ガードが、単一の中空円筒状部材、または互いに入れ子状に移動することができる第１および第２の針ガード部材のいずれか一方を備える、請求項１から３のいずれか一項に記載の薬剤注射装置。
【請求項５】
針ガードが、単一の中空円筒状部材を備え、針ガードが、近位側外面部分と遠位側外面部分とを含む外面を備えており、
（ａ）針ガードが完全に延出した位置を占めるとき、近位側および遠位側外面部分はハウジングの外に露出し、
（ｂ）針ガードが中間位置を占めるとき、近位側外面部分はハウジングの内側に隠れ、遠位側外面部分はハウジングの外に露出し、
（ｃ）針ガードが完全に引っ込んだ位置を占めるとき、近位側および遠位側外面部分はハウジングの内側に隠れ、
少なくとも１つのしるしが、好ましくは、近位側外面部分に配置された第１のしるしと、遠位側外面部分に配置された第２のしるしとを含み、第１のしるしは、第２のしるしから視覚的に異なっている、請求項４に記載の薬剤注射装置。
【請求項６】
針ガードが、第１および第２の針ガード部材を備え、第１の針ガード部材が、第１の外面を備え、第２の針ガード部材は、第２の外面を備え、
（ａ）針ガードが完全に延出した位置を占めるとき、第１および第２の外面はハウジングの外に露出し、
（ｂ）針ガードが中間位置を占めるとき、（ｉ）第２の外面は第１の針ガード部材の内側に隠れ、かつ第１の外面はハウジングの外に露出するか、あるいは（ｉｉ）第１の外面は第２の針ガード部材の内側に隠れ、かつ第２の外面はハウジングの外に露出し、
（ｃ）針ガードが完全に引っ込んだ位置を占めるとき、第１および第２の外面はハウジングの内側に隠れ、
少なくとも１つのしるしが、好ましくは、第１の針ガード部材の第１の外面に配置された第１のしるしと、第２の針ガード部材の第２の外面に配置された第２のしるしとを含み、第１のしるしは、第２のしるしから視覚的に異なっている、請求項４に記載の薬剤注射装置。
【請求項７】
ハウジングと第１の針ガード部材との間に配置され、第１の針ガード部材をハウジングから遠ざかる方向に付勢する第１の付勢部材と、第１の針ガード部材と第２の針ガード部材との間に配置され、第２の針ガード部材を第１の針ガード部材から遠ざかる方向に付勢する第２の付勢部材とをさらに備え、第１の付勢部材が、第２の付勢部材が生み出す付勢力よりも大きい付勢力を生み出す、請求項６に記載の薬剤注射装置。
【請求項８】
針ガードが、針ガードが完全に引っ込んだ位置を占めるときにハウジングに係合して配置され、それによって針ガードのハウジングへのさらなる引っ込みを制限する外縁をさらに備え、少なくとも１つのしるしが、外縁に配置されたしるしを含む、請求項１から７のいずれか一項に記載の薬剤注射装置。
【請求項９】
針ガードに関連付けられ、（ａ）針ガードが完全に延出した位置から中間位置へと移動するとき、および／または（ｂ）針ガードが中間位置から完全に引っ込んだ位置へと移動するときに、可聴信号を生成するように構成された可聴インジケータをさらに備える、請求項１から８のいずれか一項に記載の薬剤注射装置。
【請求項１０】
ハウジングが、ハウジング内の容器および／またはプランジャの視認を可能にする少なくとも１つの窓または透明部分を備える、請求項１から９のいずれか一項に記載の薬剤注射装置。
【請求項１１】
ハウジングによって保持され、容器内の製品の温度を示すように構成された温度インジケータをさらに備える、請求項１から１０のいずれか一項に記載の薬剤注射装置。
【請求項１２】
ハウジングが、容器内の薬剤の視認を可能にする窓を備えており、窓は、（ａ）薬剤注射装置のハウジングの１つ以上の別個の窓、または（ｂ）容器のハウジングの透明な３６０度部分を備え、
ハウジングを覆って配置される取り外し式のラベルをさらに備え、ラベルは、第１および第２の部分を有しており、ラベルの第２の部分は、ハウジングの窓の少なくとも一部分にすぐ隣接して配置される薬剤テスト面を画定する内面を有し、
ハウジングからラベルの第１の部分を取り除くことで、薬剤を窓を通して薬剤テスト面に対して視認することによって薬剤をラベルの第２の部分の薬剤テスト面と比較して、薬剤の清澄さおよび色の少なくとも一方を判断することができ、
薬剤テスト面が、好ましくは、薬剤の清澄さおよび色のうちの一方を検査するための第１の色の領域、または薬剤の清澄さおよび色のうちの他方を検査するための第２の色の領域のいずれかを含む、請求項１から１１のいずれか一項に記載の薬剤注射装置。
【請求項１３】
ラベルの第１の部分が、薬剤を確認すべく第１の部分を取り除くための第１の指示と、薬剤の清澄さおよび色の少なくとも一方を判断するための第２の指示と有し、ラベルが、第３の部分をさらに含んでおり、第３の部分は、薬剤の清澄さおよび色の少なくとも一方が適切であると判断される場合にラベルの第３の部分を取り除くための第１の指示と、薬剤の清澄さおよび色の少なくとも一方が適切でないと判断される場合に装置を使用させないための第２の指示とを有する、請求項１２に記載の薬剤注射装置。
【請求項１４】
ラベルが、プルタブを含む、請求項１２または１３に記載の薬剤注射装置。
【請求項１５】
容器が、皮膚を貫いて容器に収容された薬剤を投与するための針を備え、針の少なくとも一部分が、ハウジングから突出する薬剤注射装置であって、
針の少なくとも一部分を囲むためのキャップをさらに備え、ラベルはキャップを少なくとも部分的に覆う、請求項１２から１４のいずれか一項に記載の薬剤注射装置。
【手続補正書】
【提出日】平成30年9月27日(2018.9.27)
【手続補正１】
【補正対象書類名】明細書
【補正対象項目名】００６６
【補正方法】変更
【補正の内容】
【００６６】
駆動スリーブ４０は、（クラッチプレート１２０を介した）用量設定要素６０とのインターフェースからリセットプレート１５０とのスプライン型歯（splined tooth）インタ
ーフェース４１、１５１（図３）まで下方に延びる。これは、用量設定中、駆動スリーブ４０への回転拘束をもたらす。ボタン７０が押さえられたとき、これらのスプライン歯４１、１５１は、係合解除され、駆動スリーブ４０が駆動ばね９０の作用下で回転することを可能にし、設定用量を投薬する。駆動スリーブ４０のラチェット歯４２およびクラッチプレート１２０の対応するラチェット歯１２１は、滑りクラッチを形成する。ボタン７０を押さえることはまた、駆動スリーブ４０と用量設定要素６０との間の追加のスプラインクラッチ４３、６１を係合させる。
【手続補正書】
【提出日】平成30年10月5日(2018.10.5)
【手続補正１】
【補正対象書類名】特許請求の範囲
【補正対象項目名】全文
【補正方法】変更
【補正の内容】
【特許請求の範囲】
【請求項１】
流体および消火剤の高速ストリームを送達可能な消火装置を含み、前記流体および前記消火剤の両方が火災に向けられるシステム（２０、３００）であって、前記消火装置が、
第１の端部（３５２）および第２の端部（３５４）を有する少なくとも１つの外側の第１の管（１００、３４０）であって、所定の長さＬ、内側直径および外側直径を有する第１の管と、
前記第１の管の内側に配置された空気透過性を有する第２の管、ホースまたはサック（１２０、３５０）であって、前記サックは第１の管端部および第２の管端部を有し、前記外側の第１の管端部に沿った第１の位置から、前記外側の第１の管に沿った第２の位置まで延び、前記外側の第１の管の前記第２の端部、またはその近傍で終結する、第２の管、ホースまたはサックと、
前記サックと前記第１の管の前記内側直径との間に位置する消火剤（１６０）と、
汚染物質が前記第１の管に入ることを防止するために、前記第１の管の前記第２の端部に固定される、取り外し可能な栓または破裂ディスク（１９０、３７０）と、
前記第１の管の前記第１の端部に対して、直接的にまたはマニホルドなどを介して間接的に連結された高圧流体源（１８０）であって、起動信号を受信すると、高圧流体を送達して、圧力流体が前記内側管またはサックの前記第１の端部に入るようにし、前記流体の流れは、前記栓を除去するか、または前記ディスクを破断させて前記サックから流出して、前記消火材料を、前記第１の管の、今や開放された前記第２の端部から押し出すように構成される、高圧流体源と、を備えるシステム。
【請求項２】
前記透過性の第２のホース、管またはサック（１２０、３５０）からの前記流体の流れが、前記第２の管、ホースまたはサックの長さ方向に沿っている、請求項１に記載のシステム。
【請求項３】
前記高圧流体が、アルゴン、ヘリウム、窒素、二酸化炭素、もしくはそれらの組み合わせのうちの１つからなるガスすなわち流体である、請求項１または２に記載のシステム。
【請求項４】
前記高圧流体源に動作可能に連結される第２の内側管と、消火剤を内部に有する第２の外側管とをさらに備え、前記第２の外側管の端部が別の栓（１９０）または破断可能なディスク（４１８）によって一時的に閉塞されている、請求項１から３のいずれかに記載のシステム。
【請求項５】
前記第１の外側管が波形管（３４０）であり、リングまたはワッシャが、前記第１の外側管の端部付近の前記波形のうちの１つに配置され、第１の継手が、前記リングまたはワッシャの後部に配置され、前記第１の継手は、前記マニホルドまたは前記第１の外側管の出口端と対応付けられた第２の継手に対して固定されるように構成され、互いに固定された前記第１の継手および前記第２の継手により、前記継手と、前記リングまたはワッシャと、前記波形の管の外側面との間に流体密封が形成される、請求項１から４のいずれかに記載のシステム。
【請求項６】
前記外側管の出口端における前記第２の継手（３２２、３６２）は、前記流体がそこを通って流れることを可能にする複数の開口（３７０）を有するノズル（３７０）と連結するように構成される、請求項５に記載のシステム。
【請求項７】
前記破断可能なディスクが、前記ノズルと前記第２の継手との間に位置する、請求項６に記載のシステム。
【請求項８】
前記ノズルがピンを含み、前記ピンの端部が、前記破断可能なディスクの近傍に配置され、前記ピンは、前記破断可能なディスクを破断させるように構成される、請求項６または７記載のシステム。
【請求項９】
前記第１の管および前記第２の管が、直線形状または曲線形状であり、前記高圧流体源から、同じ方向または異なる方向に延びている、請求項４に記載のシステム。
【請求項１０】
前記高圧流体源が、火工技術的に起動されるガス生成器である、請求項１に記載のシステム。
【請求項１１】
前記第１の管が、プラスチック、鉄、および、波形状の金属またはプラスチックのうちの１つである、請求項１に記載のシステム。
【請求項１２】
前記システムが、エンジン室または貯蔵室を含む、火災が維持される恐れのある空間に固定的に位置する、請求項１に記載のシステム。
【請求項１３】
前記消火剤は、粉体である、請求項１に記載のシステム。
【請求項１４】
乾燥剤をさらに含む、請求項１３に記載のシステム。
【請求項１５】
前記消火剤は、疎水効果のために付加される乾燥粉体シリコンを含む、請求項１に記載のシステム。
【請求項１６】
前記第１の管の第２の端部、かつ、他の任意の同様な管の端部に、スクリーンをさらに含む、請求項１に記載のシステム。
【請求項１７】
前記消火剤の主要な構成要素がリン酸アンモニウムである、請求項１に記載のシステム。
【請求項１８】
空間内で既に発生した火災または予期された火災を消火する方法であって、
ａ）前記火災または前記予期された火災を感知すると共に、この事象を通知する起動信号を生成するステップと、
ｂ）高圧流体源と、１つまたは複数の管と、前記外側管のそれぞれにおける空気透過性の内側管またはホースと、前記内側ホース、管またはソックの外側面と前記１つまたは複数の外側管の内側直径との間に設けられた所定量の消火剤とを備える消火システムを、前記火災の前に前記空間内に配置するステップと、
ｃ）前記火災または前記予期された火災の感知に応答して、前記加圧流体源を起動するステップと、
ｄ）流体の高速ストリームを、前記ソックの第１の端部に送出することで前記消火剤を各管から放出させ、前記火災を消火するかまたは火災の発生を防止するステップと、を含む方法。
【手続補正書】
【提出日】平成30年2月28日(2018.2.28)
【手続補正１】
【補正対象書類名】特許請求の範囲
【補正対象項目名】全文
【補正方法】変更
【補正の内容】
【特許請求の範囲】
【請求項１】
乗物車両の車両経路に結合された１又は２以上の運動台座システムを含む、アミューズメントパーク乗物システムであって、
前記各運動台座システムが、複数の運動台座であって、前記乗物車両が、前記複数の運動台座に接触した際に、互いに独立して起動して前記乗物車両の運動効果を創出するように構成された複数の運動台座を含み、
前記複数の運動台座の各運動台座が、
ハウジングと、
起動された時に、前記乗物車両の１部に接触して、案内経路に沿って前記ハウジングに対して移動するように構成されたデッキと、
前記デッキに結合され、かつ該デッキを起動させるように構成されたアクチュエータと、
前記デッキに結合され、かつ該デッキが起動された時に内部圧力を変えるか又は移動するように構成された平衡錘と、及び
前記デッキに結合され、かつ該デッキが起動された時に前記ハウジングに対して該デッキに連動して移動して前記案内経路に沿った該デッキの前記移動を定めるように構成された１又は２以上の運動ガイドと、を含み、
前記１又は２以上の運動台座システムがさらに前記複数の運動台座に結合され、かつ該複数の運動台座のそれぞれの運動台座の前記アクチュエータを制御するように構成されたコントローラを含み、これによって前記複数の運動台座の前記デッキが互いに独立して前記乗物車両と接触しつつ移動して前記乗物車両の運動効果を創出する、ことを特徴とするアミューズメントパーク乗物システム。
【請求項２】
前記複数の運動台座のそれぞれの前記デッキは、車両経路上に位置決めされて乗物車両のそれぞれの支持要素と該乗物車両が該複数の運動台座に対応する場所で該車両経路上に位置決めされた時に位置合わせすることを特徴とする請求項１に記載のシステム。
【請求項３】
前記複数の運動台座のそれぞれの前記ハウジングは、互いに接触しないことを特徴とする請求項１に記載のシステム。
【請求項４】
前記コントローラは、前記乗物車両がロール軸の周りの運動効果を体験することになるように独立に起動するように該複数の運動台座を起動するように構成される、ことを特徴とする請求項１に記載のシステム。
【請求項５】
前記コントローラは、前記乗物車両がピッチ軸の周りの運動効果を体験することになるように独立に起動するように該複数の運動台座を起動するように構成される、ことを特徴とする請求項１に記載のシステム。
【請求項６】
前記コントローラは、前記乗物車両がヒーブ運動効果を体験することになるように独立に起動するように該複数の運動台座を起動するように構成される、ことを特徴とする請求項１に記載のシステム。
【請求項７】
前記複数の運動台座のそれぞれのデッキの起動が、前記案内経路に沿った位置の固定範囲から選択された位置までの該それぞれのデッキの移動を含み、
前記位置の固定範囲は、前記それぞれのデッキが少なくとも部分的に前記ハウジング内にあるか、床面と面一であるか、又は該床面のレベルの上方である位置を含む、
ことを特徴とする請求項１に記載のシステム。
【請求項８】
前記床面が、平面又は湾曲していることを特徴とする請求項７に記載のシステム。
【請求項９】
前記位置の固定範囲は、前記複数の運動台座の個々の前記運動台座のそれぞれの前記ハウジング上の固定点に対する距離の範囲を含むことを特徴とする請求項７に記載のシステム。
【請求項１０】
前記コントローラは、前記デッキの起動を制御して前記複数の運動台座のそれぞれの運動台座の個々のデッキを前記床面に対して異なる距離に位置決めさせるように構成されることを特徴とする請求項９に記載のシステム。
【請求項１１】
前記複数の運動台座のそれぞれの前記デッキは、互いにほぼ平行であるそれぞれの軸に沿って起動することを特徴とする請求項１に記載のシステム。
【請求項１２】
前記デッキは、該デッキによって形成された平面とほぼ直交する軸に沿って起動するように構成されることを特徴とする請求項１に記載のシステム。
【請求項１３】
前記１又は２以上の運動ガイドは、前記デッキに直接に結合されることを特徴とする請求項１に記載のシステム。
【請求項１４】
前記１又は２以上の運動ガイドは、前記デッキが起動された時に前記ハウジングの壁に沿って摺動する
ように構成されたレール又はガイドを含むことを特徴とする請求項１に記載のシステム。
【請求項１５】
前記案内経路は、湾曲又は傾斜した経路を含むことを特徴とする請求項１に記載のシステム。
【請求項１６】
前記平衡錘は、流体嚢及び該流体嚢に流体結合された１又は２以上の流体リザーバを含むことを特徴とする請求項１に記載のシステム。
【請求項１７】
前記運動台座の前記流体嚢内の内圧は、前記デッキが非能動位置にあるか又は起動されていない時の該デッキの重量と、該デッキ上に位置決めされた荷重の一部分とを支持するのに十分であることを特徴とする請求項１６に記載のシステム。
【請求項１８】
互いに独立して起動するように構成された複数の運動台座であって、該複数の運動台座と接触して乗物車両の運動効果を創出する運動台座を含む、運動台座システムにおいて、前記複数の運動台座のそれぞれの運動台座が、
ハウジングと、
前記乗物車両の１部と接触するように構成され、起動された時に前記ハウジングに対して移動するように構成されたデッキと、
前記デッキに結合され、かつ該デッキを起動させるように構成されたアクチュエータと、
前記デッキに結合され、かつ該デッキの重量及び該デッキ上に載るか又はそれに結合された追加の荷重を担持するように構成された平衡錘と、
前記デッキに結合され、かつ該デッキが起動された時に前記ハウジングに対して該デッキに連動して移動して該デッキの前記移動を抑制するように構成された１又は２以上の運動ガイドと、を含み、
前記運動台座システムがさらに、
前記複数の運動台座に結合され、かつ前記複数の運動台座の前記アクチュエータを制御して起動パターンの一部として複数の位置の間で移動するように前記複数の運動台座の前記デッキを起動するように構成されたコントローラと、
を含み、これによって前記複数の運動台座の前記デッキが互いに独立して前記乗物車両と接触しつつ移動して前記乗物車両の運動効果を創出する、ことを特徴とする運動台座システム。
【請求項１９】
前記平衡錘は、流体嚢を含むことを特徴とする請求項１８に記載のシステム。
【請求項２０】
前記平衡錘は、バネを含むことを特徴とする請求項１８に記載のシステム。
【請求項２１】
前記バネは、空圧バネ、磁気バネ、量子ロッキングバネ、又は機械バネであることを特徴とする請求項２０に記載のシステム。
【請求項２２】
前記平衡錘は、リグ式重りを含むことを特徴とする請求項１８に記載のシステム。
【請求項２３】
前記複数の運動台座の前記それぞれの運動台座は、前記複数の運動台座の前記乗物車両が対応するデッキの面上に位置決めされた時に信号を供給するように構成された１又は２以上のセンサを含むことを特徴とする請求項１８に記載のシステム。
【手続補正書】
【提出日】平成30年8月24日(2018.8.24)
【手続補正１】
【補正対象書類名】明細書
【補正対象項目名】００７６
【補正方法】変更
【補正の内容】
【００７６】
本明細書で用いる、単数で列挙され「１つの（a又はan）」といった語が先行する要素又はステップは、複数の上記要素又はステップの排除が明示的に述べられていない限り、これらを排除しないものとして理解されるべきである。さらに、本明細書に記載する本発明の主題の「１つの実施形態」又は「一実施形態」に言及する場合、それは、列挙された特徴を同様に組み込む更なる実施形態の存在を排除するものとして解釈されるようには意図されていない。さらに、明示的に述べられていない限り、特定の特性を有する要素又は複数の要素を「備えている」、「備える」、「含んでいる」、「含む」、「有している」又は「有する」実施形態は、その特性を有していない更なるこうした要素を含む可能性がある。
本発明は、以下の様態１６〜２０に示される方法としても実施することができる。
［様態１６］
水圧転写システムにおいて対象上に転写される積層集成体を製造する方法であって、
前記水圧転写システム内に配置されると溶けるように構成されている担体フィルムの上方に１つ又は複数のインク層を堆積することと、
前記１つ又は複数のインク層の上方にコート層を堆積することと、
前記コート層の上方に光学的効果層を堆積することと、
前記光学的効果層に浮彫りパターンを形成することであって、前記浮彫りパターンは、前記対象に光学的効果又はセキュリティ特徴のうちの１つ又は複数をもたらすように構成されている、浮彫りパターンを形成することと、
を含む、方法。
［様態１７］
前記浮彫りパターンを形成することは、前記光学的効果層に前記浮彫りパターンをエンボス加工することを含む、様態１６に記載の方法。
［様態１８］
前記効果層を堆積することは、金属、金属合金又は高屈折率材料のうちの１つ又は複数を堆積することを含む、様態１６に記載の方法。
［様態１９］
前記１つ又は複数のインク層を堆積することは、熱転写印刷、デジタルインクジェット印刷、三次元印刷のうちの１つ若しくは複数を用いて前記１つ若しくは複数のインク層を印刷すること、又は、前記１つ若しくは複数のインク層のインクを架橋することを含む、様態１６に記載の方法。
［様態２０］
前記効果層を堆積することは、１つ又は複数の金属又は金属合金を気相蒸着することを含む、様態１６に記載の方法。
【手続補正２】
【補正対象書類名】特許請求の範囲
【補正対象項目名】全文
【補正方法】変更
【補正の内容】
【特許請求の範囲】
【請求項１】
水圧転写システムにおいて対象を装飾する積層集成体であって、
前記水圧転写システム内に配置されると溶けるように構成されている担体フィルムと、
前記対象に光学的効果又はセキュリティ特徴のうちの１つ又は複数をもたらすように構成されている光学的効果層であって、該光学的効果層の全厚さを通して延びるクラックによって形成された浮彫りパターンを含む光学的効果層と、
前記担体フィルムと前記効果層との間に配置される１つ又は複数のインク層と、
前記１つ又は複数のインク層と前記光学的効果層との間に配置されるコート層と、
を備え、前記効果層は、前記対象に前記光学的効果又は前記セキュリティ特徴のうちの前記１つ又は複数をもたらすように構成されている浮彫りパターンを備える、積層集成体。
【請求項２】
前記効果層は、金属、金属合金又は高屈折率材料のうちの１つ又は複数から形成される、請求項１に記載の積層集成体。
【請求項３】
前記効果層によってもたらされる前記光学的効果は、ホログラフィデザイン、又は見る角度によって色が変化するデザインのうちの１つ又は複数を含む、請求項１に記載の積層集成体。
【請求項４】
前記効果層における前記浮彫りパターンは、前記光学的効果又は前記セキュリティ特徴のうちの前記１つ又は複数をもたらす、請求項１に記載の積層集成体。
【請求項５】
前記効果層は、前記コート層に向き合う該効果層の表面に平行な方向における前記クラックによって横方向に互いに分離されている別個の塊によって形成されている、請求項１に記載の積層集成体。
【請求項６】
前記効果層の全厚さを通して延びる前記クラックは、マイクロクラックである請求項１に記載の積層集成体。
【請求項７】
前記浮彫りパターンは、前記効果層のエンボス加工パターンである、請求項１に記載の積層集成体。
【請求項８】
水圧転写システムにおいて対象上に装飾を転写する積層集成体であって、
前記水圧転写システム内に配置されると溶けるように構成されている担体フィルムと、
前記対象に光学的効果又はセキュリティ特徴のうちの１つ又は複数をもたらすように構成されている光学的効果層であて、間隙によって互いに離間された別個の塊によって形成された光学的効果層と、
前記担体層と前記光学的効果層との間に配置されるコート層と、
を備え、前記効果層は、前記対象に前記光学的効果又は前記セキュリティ特徴のうちの前記１つ又は複数をもたらすように構成されている浮彫りパターンを備える、積層集成体。
【請求項９】
前記効果層は、金属、金属合金又は高屈折率材料のうちの１つ又は複数から形成される、請求項８に記載の積層集成体。
【請求項１０】
前記効果層によってもたらされる前記光学的効果は、ホログラフィデザイン、又は見る角度によって色が変化するデザインのうちの１つ又は複数を含む、請求項８に記載の積層集成体。
【請求項１１】
前記効果層は、前記光学的効果又は前記セキュリティ特徴のうちの前記１つ又は複数をもたらす浮彫りパターンを備える、請求項８に記載の積層集成体。
【請求項１２】
前記浮彫りパターンは、前記効果層を形成する前記別個の塊によって画定される、請求項１１に記載の積層集成体。
【請求項１３】
前記コート層はエンボス加工層である、請求項１１に記載の積層集成体。
【請求項１４】
前記効果層を形成する前記別個の塊を分離する前記間隙はマイクロクラックである、請求項１１に記載の積層集成体。
【請求項１５】
前記浮彫りパターンは、前記効果層のエンボス加工パターンである、請求項１１に記載の積層集成体。
【請求項１６】
水圧転写システムにおいて対象を装飾する積層集成体であって、
可溶性の担体フィルムと、
反射又は回折層に形成された浮彫りパターンを有するとともに前記対象に光学的効果を与えるデザイン層であって、前記反射又は回折層が該反射又は回折層の全厚さを通して延びるクラックによって形成される、デザイン層と、
前記担体フィルムと前記デザイン層との間に配置される１つ又は複数のインク層と、
を備える、積層集成体。
【請求項１７】
前記デザイン層は、前記対象を見る角度に基づいて色を変化させる光学的効果デザインを与える、請求項１６に記載の積層集成体。
【請求項１８】
前記デザイン層における前記浮彫りパターンは、反射又は回折層におけるクラックによって互いに分離されて間隙によって互いに離間された別個の塊によって形成される、請求項１６に記載の積層集成体。
【請求項１９】
前記反射又は回折層において互いに離間された前記塊を分離する前記クラックはマイクロクラックである、請求項１８に記載の積層集成体。
【請求項２０】
前記デザイン層における前記浮彫りパターンはエンボス加工パターンである、請求項１８に記載の積層集成体。
【手続補正書】
【提出日】平成30年8月14日(2018.8.14)
【手続補正１】
【補正対象書類名】特許請求の範囲
【補正対象項目名】全文
【補正方法】変更
【補正の内容】
【特許請求の範囲】
【請求項１】
ユーザデバイスのための通信オプションを提示する方法であって、
連絡先と通信するために前記ユーザデバイスによって使用される複数の通信オプションに対応するデータを収集するステップであって、前記データは、通信オプションごとに、前記通信オプションによる前記ユーザデバイスと前記連絡先との間の最後の成功した通信の時間、およびデータモードまたは音声モードのうちの一方に対応する通信モードを含む、ステップと、
前記連絡先と通信しようとする試みの失敗に応答して、前記ユーザデバイスのインターフェースを通じた提示において前記複数の通信オプションを提示するステップであって、前記提示が、前記複数の通信オプションの各々に対して、前記連絡先との成功した通信を確立する確率に基づいて前記複数の通信オプションの各々を列挙し、前記複数の通信オプションの各々に対する前記確率が、1)前記通信オプションによる最後の成功した通信の前記時間、および2)データモードに対応する通信モードを有する通信オプションの場合、前記通信オプションがアクティブであるか、または非アクティブであるか、に基づく、ステップと
を含む、方法。
【請求項２】
前記データを収集するステップが、前記複数の通信オプションの各々に対して、前記通信オプションによる最後の成功した通信の前記時間に対応するタイムスタンプをメモリに記憶するステップを含む、請求項1に記載の方法。
【請求項３】
前記複数の通信オプションの各々が、音声モードまたはデータモードのうちの少なくとも一方を含む複数の通信モードのうちの1つに分類される、請求項1に記載の方法。
【請求項４】
前記音声モードが、電話番号に対応する1つまたは複数の通信オプションを含む、請求項3に記載の方法。
【請求項５】
前記データモードが、ボイスオーバーインターネットプロトコル(VOIP)アプリケーション識別情報、電子メールアドレス、インスタントメッセージング識別情報、およびソーシャルメディアアカウント識別情報のうちの1つまたは複数に対応する1つまたは複数の通信オプションを含む、請求項3に記載の方法。
【請求項６】
前記データが、通信オプションごとに通信モードをさらに含み、前記複数の通信オプションを提示するステップが、
前記通信しようとする試みの失敗という結果になった前記通信オプションの前記通信モードを判定するステップと、
前記複数の通信オプションから第1のセットの通信オプションを決定するステップであって、前記第1のセット中の各通信オプションが、前記通信しようとする試みの失敗という結果になった前記通信オプションの前記通信モードに対応する通信モードを有する、ステップと、
前記第1のセット中の前記複数の通信オプションの各々に対して、前記通信オプションによる前記ユーザデバイスと前記連絡先との間の最後の成功した通信の前記時間に基づいて、前記連絡先との成功した通信を確立する前記確率を決定するステップと
を含み、
前記提示が、前記第1のセットの通信オプションを列挙する、
請求項1に記載の方法。
【請求項７】
前記複数の通信オプションを提示するステップが、
前記複数の通信モードから第2のセットの通信オプションを決定するステップであって、前記第2のセット中の各通信オプションが、前記通信しようとする試みの失敗という結果になった前記通信オプションの前記通信モードに対応しない通信モードを有する、ステップと、
前記第2のセット中の前記複数の通信オプションの各々に対して、前記通信オプションによる前記ユーザデバイスと前記連絡先との間の最後の成功した通信の前記時間に基づいて、前記連絡先との成功した通信を確立する前記確率を決定するステップと
をさらに含み、
前記提示がさらに、前記第2のセットの通信オプションを列挙する、
請求項6に記載の方法。
【請求項８】
前記通信しようとする試みの失敗という結果になった前記通信オプションの前記通信モードがデータモードであるとき、前記第1のセット中の前記複数の通信オプションの各々に対して、前記連絡先との成功した通信を確立する前記確率を決定するステップが、前記通信オプションがアクティブであるか、または非アクティブであるかにさらに基づく、請求項6に記載の方法。
【請求項９】
前記提示するステップにおいて、アクティブである通信オプションを非アクティブである通信オプションよりも優先するステップをさらに含む、請求項8に記載の方法。
【請求項１０】
前記複数の通信オプションのうちの1つまたは複数のステップに対して、前記提示に、前記通信オプションによる前記ユーザデバイスと前記連絡先との間の最後の成功した通信の前記時間を含めるステップをさらに含む、請求項1に記載の方法。
【請求項１１】
ユーザデバイスであって、
連絡先と通信するために前記ユーザデバイスによって使用される複数の通信オプションに対応するデータを収集するための手段であって、前記データは、通信オプションごとに前記通信オプションによる前記ユーザデバイスと前記連絡先との間の最後の成功した通信の時間、およびデータモードまたは音声モードのうちの一方に対応する通信モードを含む、手段と、
前記連絡先と通信しようとする試みの失敗に応答して、前記ユーザデバイスのインターフェースを通じた提示において、前記複数の通信オプションを提示するための手段であって、前記提示が、前記複数の通信オプションの各々に対して、前記連絡先との成功した通信を確立する確率に基づいて前記複数の通信オプションの各々を列挙し、前記複数の通信オプションの各々に対する前記確率が、1)前記通信オプションによる最後の成功した通信の前記時間、および2)データモードに対応する通信モードを有する通信オプションの場合、前記通信オプションがアクティブであるか、または非アクティブであるか、に基づく、手段と
を含む、ユーザデバイス。
【請求項１２】
ユーザデバイス用のコンピュータ実行可能コードを記憶したコンピュータ可読記録媒体であって、請求項1〜10のいずれか一項に記載の方法実施するためのコードを備える、コンピュータ可読記録媒体。
【手続補正書】
【提出日】平成30年6月19日(2018.6.19)
【手続補正１】
【補正対象書類名】特許請求の範囲
【補正対象項目名】全文
【補正方法】変更
【補正の内容】
【特許請求の範囲】
【請求項１】
（a）α平滑筋アクチン（ASMA）、アルブミン（ALB）、及びCD140bに対して陽性である、
（b）Sushiドメイン含有タンパク質2（SUSD2）とサイトケラチン-19（CK-19）に対して陰性である、
と細胞が測定されることを特徴とする、成体肝前駆細胞。
【請求項２】
請求項1に記載の細胞であって、該細胞がさらに以下を陽性と測定される細胞；
(a)アルブミン、HNF-3B、HNF-4、CYP1A2、CYP2C9、CYP2E1及びCYP3A4から選択される少なくとも1つの肝臓マーカー
(b)ビメンチン、CD90、CD73、CD44及びCD29から選択される少なくとも1つの間葉マーカー
(c)尿素分泌、ビリルビン抱合、α-1-アンチトリプシン分泌及びCYP3A4活性から選ばれる少なくとも1つの肝臓特異的代謝活性
(d)ATP2B4、ITGA3、TFRC、SLC3A2、CD59、ITGB5、CD151、ICAM1、ANPEP、CD46及びCD81の少なくとも1つ、及び
(e)MMP1、ITGA11、FMOD、KCND2、CCL11、ASPN、KCNK2及びHMCN1から選択される少なくとも1つのマーカー。
【請求項３】
請求項1又は2に記載の細胞であって、該細胞が以下を陰性と測定される細胞；
（a）CD271、
（b）ITGAM、ITGAX、IL1R2、CDH5及びNCAM1から選択される少なくとも1つのマーカー、及び
（e）HP、CP、RBP4、APOB、LBP、ORM1、CD24、CPM及びAPOC1から選択される少なくとも1つのマーカー。
【請求項４】
スルホトランスフェラーゼ活性、トリプトファン-2,3-ジオキシゲナーゼ活性、肝臓カルボキシラーゼ活性、アンモニア代謝及びグリコーゲン貯蔵から選択される少なくとも1つの肝臓特異的活性に対して陽性であると更に測定される、請求項1〜3のいずれか一項に記載の細胞。
【請求項５】
請求項1〜4のいずれか一項に記載の細胞を少なくとも60 %又は60 %〜99 %又は70 %〜90 %含む単離細胞集団。
【請求項６】
肝臓特異的活性を示す細胞へと分化する、請求項5に記載の細胞集団。
【請求項７】
1つ又は複数の化学剤、細胞培養培地、成長因子及び／又は核酸ベクターを用いて修飾される、請求項1〜6のいずれか一項に記載の細胞又は集団。
【請求項８】
1つ又は複数の単離タンパク質、核酸、代謝産物及び／又は抗原を含む馴化細胞培養培地、タンパク質抽出物、膜小胞又はその任意の画分である、請求項1〜7のいずれか一項に記載の細胞又は集団から単離される生体物質。
【請求項９】
請求項1〜7のいずれか一項に記載の細胞若しくは集団、又は請求項8に記載の生体物質を含む組成物。
【請求項１０】
肝疾患の治療における請求項1〜7のいずれか一項に記載の細胞若しくは集団、請求項8に記載の生体物質又は請求項9に記載の組成物の使用。
【請求項１１】
前記肝疾患が先天性肝臓代謝異常、遺伝性血液凝固障害、進行性家族性肝内胆汁うっ滞症1/2/3型、α1-アンチトリプシン欠乏症、肝細胞トランスポーター欠損、ポルフィリン症、脂肪肝若しくは他の線維症肝疾患、原発性胆汁性肝硬変、硬化性胆管炎、肝変性疾患、又は急性若しくは慢性肝不全である、請求項10に記載の使用。
【請求項１２】
治療有効量の請求項1〜7のいずれか一項に記載の細胞又は集団を含み、ヒト組織におけるそれらの生着から利益を得る可能性がある病態の治療に使用される医薬組成物。
【請求項１３】
肝臓内、脾臓内又は静脈内（intravenous）投与に好適な単離細胞の懸濁液である、請求項12に記載の医薬組成物。
【請求項１４】
請求項1〜7のいずれか一項に記載の細胞、細胞集団、請求項9に記載の組成物又は請求項8に記載の生体物質を含むキット。
【請求項１５】
前記細胞集団、前記組成物又は前記生体物質を含有する1つ又は複数のバイアルと、以下の要素：デバイス、使い捨て材料、溶液、化学製品、生物製品、及び／又は前記キットの要素の使用説明書の1つ又は複数とを更に含む、請求項14に記載のキット。
【手続補正書】
【提出日】平成30年8月20日(2018.8.20)
【手続補正１】
【補正対象書類名】特許請求の範囲
【補正対象項目名】全文
【補正方法】変更
【補正の内容】
【特許請求の範囲】
【請求項１】
標的核酸を検出する方法であって、
前記標的核酸を、前記標的核酸の配列に相補的な部分を有するガイドＲＮＡおよびＣａｓ９タンパク質と接触させることを含み、
前記ガイドＲＮＡおよび前記Ｃａｓ９タンパク質は、前記標的核酸に共局在して複合体を形成し、
前記複合体を検出することにより前記標的核酸を検出する
前記方法。
【請求項２】
前記ガイドＲＮＡが検出可能な標識を含む、請求項１に記載の方法。
【請求項３】
前記Ｃａｓ９タンパク質が検出可能な標識を含む、請求項１に記載の方法。
【請求項４】
前記複合体が検出可能な標識を含む、請求項１に記載の方法。
【請求項５】
前記複合体がナノポアによって検出される、請求項４に記載の方法。
【請求項６】
前記複合体が光学的に検出される、請求項４に記載の方法。
【請求項７】
前記複合体が電界効果トランジスターによって検出される、請求項４に記載の方法。
【請求項８】
前記ガイドＲＮＡが、プローブの配列に相補的な３′テール配列を含む、請求項１〜７のいずれか一項に記載の方法。
【請求項９】
前記プローブの配列が、検出可能な標識を含み、前記プローブが前記ガイドＲＮＡの前記３′テール配列に結合する、請求項８に記載の方法。
【請求項１０】
前記プローブの配列が、複数の検出可能な標識を含み、前記プローブが前記ガイドＲＮＡの前記３′テール配列に結合する、請求項８に記載の方法。
【請求項１１】
前記プローブの配列が増幅される、請求項９または１０に記載の方法。
【請求項１２】
前記ガイドＲＮＡの配列が、プローブまたは検出可能な標識に対する結合対として３′テール配列を含む、請求項１に記載の方法。
【請求項１３】
前記標的核酸が二本鎖ゲノムＤＮＡである、請求項１に記載の方法。
【請求項１４】
前記標的核酸が、基板上で伸長される、請求項１に記載の方法。
【請求項１５】
前記標的核酸が、平面状の表面上で伸長される、請求項１に記載の方法。
【請求項１６】
前記標的核酸が、ポア内で伸長される、請求項１に記載の方法。
【請求項１７】
前記標的核酸が、チャネル内で伸長される、請求項１に記載の方法。
【請求項１８】
前記Ｃａｓ９タンパク質が、野生型Ｃａｓ９、ｃａｓ９ニッカーゼ、またはヌクレアーゼ欠損Ｃａｓ９である、請求項１に記載の方法。
【請求項１９】
前記Ｃａｓ９タンパク質が、前記標的核酸の鎖にニックを形成するＣａｓ９ニッカーゼであり、前記ニックから相補鎖を鋳型としてプライマー伸長が開始されることにより前記標的核酸がシーケンシングされる、請求項１に記載の方法。
【請求項２０】
前記ガイドＲＮＡおよび前記Ｃａｓ９タンパク質が組み合わせられた後に、前記標的核酸と接触させられる、請求項１に記載の方法。
【請求項２１】
前記ガイドＲＮＡが、シード領域配列を含む、請求項１に記載の方法。
【請求項２２】
前記ガイドＲＮＡが、前記ガイドＲＮＡの非シード領域に、縮重配列およびユニバーサル塩基の一方または両方を含む、請求項２１に記載の方法。
【請求項２３】
前記標的核酸を、前記標的核酸の配列に相補的な部分を各々有する複数のガイドＲＮＡと接触させることを含む、請求項１に記載の方法。
【請求項２４】
前記標的核酸が溶液試料内にある、請求項１に記載の方法。
【請求項２５】
前記標的核酸が基板に結合している、請求項１に記載の方法。
【請求項２６】
前記標的核酸が細胞内にある、請求項１に記載の方法。
【手続補正書】
【提出日】平成30年8月22日(2018.8.22)
【手続補正１】
【補正対象書類名】特許請求の範囲
【補正対象項目名】全文
【補正方法】変更
【補正の内容】
【特許請求の範囲】
【請求項１】
通信のための装置であって、
アクセス端末と、第1の無線アクセス技術(RAT)ネットワークの他の構成要素と通信するための第1のRATのための回路を含む第1の基地局との間の通信リンクを確立するための手段と、
前記アクセス端末と、第2のRATネットワークの他の構成要素と通信するための第2のRATのための回路を含む第2の基地局との間の前記第1の基地局を通じた中継リンクを確立するよう求める要求を前記第1の基地局に送るための手段であって、前記第2のRATは前記第1のRATとは異なる、手段と、
前記第1の基地局を通じた前記中継リンクを介して前記第2の基地局と通信するための手段と
を含む装置。
【請求項２】
通信のための装置であって、
メモリデバイスと、
前記メモリデバイスに結合された処理回路と
を含み、前記処理回路が、請求項１において定義された確立するための手段と、送るための手段と、通信するための手段とを実現するように構成される、装置。
【請求項３】
前記処理回路は、前記中継リンクを介してビームフォーミング情報を通信するようにさらに構成される、請求項2に記載の装置。
【請求項４】
前記ビームフォーミング情報は、アンテナ振幅情報および/またはアンテナ位相情報を含む、請求項3に記載の装置。
【請求項５】
通信の方法であって、
アクセス端末と、第1の無線アクセス技術(RAT)ネットワークの他の構成要素と通信するための第1のRATのための回路を含む第1の基地局との間の通信リンクを確立するステップと、
前記アクセス端末と、第2のRATネットワークの他の構成要素と通信するための第2のRATのための回路を含む第2の基地局との間の前記第1の基地局を通じた中継リンクを確立するよう求める要求を前記第1の基地局に送るステップであって、前記第2のRATは前記第1のRATとは異なる、ステップと、
前記第1の基地局を通じた前記中継リンクを介して前記第2の基地局と通信するステップと
を含む方法。
【請求項６】
通信のための装置であって、
ミリメートル波(mmW)シグナリングに基づいて第1の無線アクセス技術(RAT)ネットワークの他の構成要素と通信するための第1のRATのための回路を含む第1の基地局と、第2のRATネットワークの他の構成要素と通信するための第2のRATのための回路を含む第2の基地局との間の第1の通信リンクを確立するための手段であって、前記第2のRATは前記第1のRATとは異なる、手段と、
前記第1の通信リンクを介して前記第1の基地局と、アクセス端末との間の中継リンクが確立されていることを示す指示を受信するための手段と、
前記中継リンクを介して前記アクセス端末と通信するための手段と、
前記第1のRATを介して前記アクセス端末との第2の通信リンクを確立するための手段と
を含む装置。
【請求項７】
通信のための装置であって、
メモリデバイスと、
前記メモリデバイスに結合された処理回路と
を含み、前記処理回路が、請求項6において定義された確立するための手段と、送るための手段と、通信するための手段とを実現するように構成される、装置。
【請求項８】
前記処理回路は、前記中継リンクを介してビームフォーミング情報を通信するようにさらに構成される、請求項7に記載の装置。
【請求項９】
前記第1の通信リンクはX2インターフェースを含む、請求項7に記載の装置。
【請求項１０】
通信の方法であって、
ミリメートル波(mmW)シグナリングに基づいて第1の無線アクセス技術(RAT)ネットワークの他の構成要素と通信するための第1のRATのための回路を含む第1の基地局と、第2のRATネットワークの他の構成要素と通信するための第2のRATのための回路を含む第2の基地局との間の第1の通信リンクを確立するステップであって、前記第2のRATは前記第1のRATとは異なる、ステップと、
前記第1の通信リンクを介して前記第1の基地局と、アクセス端末との間の中継リンクが確立されていることを示す指示を受信するステップと、
前記中継リンクを介して前記アクセス端末と通信するステップと、
前記第1のRATを介して前記アクセス端末との第2の通信リンクを確立するステップと
を含む方法。
【請求項１１】
通信のための装置であって、
第1の無線アクセス技術(RAT)ネットワークの他の構成要素と通信するための第1のRATのための回路を含む第1の基地局と、アクセス端末との間の第1の通信リンクを確立するための手段と、
前記アクセス端末と、第2のRATネットワークの他の構成要素と通信するための第2のRATのための回路を含む第2の基地局との間の前記第1の基地局を通じた中継リンクを確立するよう前記第1の基地局に求める要求を前記アクセス端末から受信するための手段であって、前記第2のRATは前記第1のRATとは異なる、手段と、
前記第2の基地局との第2の通信リンクを確立するための手段と、
前記第1の通信リンクおよび前記第2の通信リンクを介して前記中継リンクを確立するための手段と、
前記中継リンクを介して前記アクセス端末と前記第2の基地局との間で情報を通信するための手段と
を含む装置。
【請求項１２】
通信のための装置であって、
メモリデバイスと、
前記メモリデバイスに結合された処理回路と
を含み、前記処理回路が、請求項11において定義された確立するための手段と、送るための手段と、通信するための手段とを実現するように構成される、装置。
【請求項１３】
前記処理回路は、前記中継リンクを介してビームフォーミング情報を通信するようにさらに構成される、請求項12に記載の装置。
【請求項１４】
通信の方法であって、
第1の無線アクセス技術(RAT)ネットワークの他の構成要素と通信するための第1のRATのための回路を含む第1の基地局と、アクセス端末との間の第1の通信リンクを確立するステップと、
前記アクセス端末と、第2のRATネットワークの他の構成要素と通信するための第2のRATのための回路を含む第2の基地局との間の前記第1の基地局を通じた中継リンクを確立するよう前記第1の基地局に求める要求を前記アクセス端末から受信するステップであって、前記第2のRATは前記第1のRATとは異なる、ステップと、
前記第2の基地局との第2の通信リンクを確立するステップと、
前記第1の通信リンクおよび前記第2の通信リンクを介して前記中継リンクを確立するステップと、
前記中継リンクを介して前記アクセス端末と前記第2の基地局との間で情報を通信するステップと
を含む方法。
【請求項１５】
コンピュータに請求項5、10、又は14のいずれか1項に記載の方法を実行させるためのコードを含む、コンピュータ実行可能コードを記憶する非一時的コンピュータ可読記憶媒体。
【手続補正書】
【提出日】平成30年1月16日(2018.1.16)
【手続補正１】
【補正対象書類名】特許請求の範囲
【補正対象項目名】全文
【補正方法】変更
【補正の内容】
【特許請求の範囲】
【請求項１】
モデルＢプロキシミティサービス（ＰｒｏＳｅ）ディスカバリのために構成されたディスカバラー無線送受信ユニット（ＷＴＲＵ）であって、
ＰｒｏＳｅ機能にディスカバリ要求を送るように構成された送信機であって、前記ディスカバリ要求は、ＷＴＲＵ識別、コマンド、およびアプリケーション識別（ＩＤ）を少なくとも含む、送信機と、
前記ディスカバラーＷＴＲＵのための第１のＰｒｏＳｅコード、および少なくとも１つの関連付けられたディスカバリフィルタを含んでいるディスカバリ応答を前記ＰｒｏＳｅ機能から受信するように構成された受信機と、
ＰＣ５インターフェースを介して前記第１のＰｒｏＳｅコードを送るように構成された前記送信機と、
ディスカバリイーＷＴＲＵから第２のＰｒｏＳｅコードを受信するように構成された前記受信機と、
前記少なくとも１つの関連付けられたディスカバリフィルタを使用して前記第２のＰｒｏＳｅコードとの一致を検出するように構成されたプロセッサと、
一致が検出されたという条件で、前記ＰｒｏＳｅ機能に一致報告を送るように構成された前記送信機と
を備えたことを特徴とするディスカバラーＷＴＲＵ。
【請求項２】
前記ディスカバリ要求は、制限されたＰｒｏＳｅアプリケーション識別（ＩＤ）をさらに含むことを特徴とする請求項１に記載のディスカバラーＷＴＲＵ。
【請求項３】
前記少なくとも１つの関連付けられたディスカバリフィルタは、前記第１のＰｒｏＳｅコードに関連付けられた少なくとも１つの有効性タイマーを含むことを特徴とする請求項１に記載のディスカバラーＷＴＲＵ。
【請求項４】
前記ＰｒｏＳｅ機能は、前記ディスカバラーＷＴＲＵのホーム公衆陸上移動体ネットワーク（ＨＰＬＭＮ）内にあることを特徴とする請求項１に記載のディスカバラーＷＴＲＵ。
【請求項５】
モデルＢプロキシミティサービス（ＰｒｏＳｅ）ディスカバリのために構成されたディスカバリイー無線送受信ユニット（ＷＴＲＵ）であって、
ＰｒｏＳｅ機能にディスカバリ要求を送るように構成された送信機であって、前記ディスカバリ要求は、ＷＴＲＵ識別、コマンド、およびアプリケーション識別（ＩＤ）を少なくとも含む、送信機と、
前記ディスカバリイーＷＴＲＵのためのリンクされたＰｒｏＳｅコード、および少なくとも１つの関連付けられたディスカバリフィルタを含んでいるディスカバリ応答を前記ＰｒｏＳｅ機能から受信するように構成された受信機と、
ＰＣ５インターフェースを介してディスカバラーＷＴＲＵから第１のＰｒｏＳｅコードを受信するように構成された前記受信機と、
前記少なくとも１つの関連付けられたディスカバリフィルタを使用して前記第１のＰｒｏＳｅコードとの一致を検出するように構成されたプロセッサと、
一致が検出されたという条件で、前記ＰＣ５インターフェースを介して、前記リンクされたＰｒｏＳｅコードを送るように構成された前記送信機と
を備えたことを特徴とするディスカバリイーＷＴＲＵ。
【請求項６】
前記少なくとも１つの関連付けられたディスカバリフィルタは、前記リンクされたＰｒｏＳｅコードに関連付けられた少なくとも１つの有効性タイマーを含むことを特徴とする請求項５に記載のディスカバリイーＷＴＲＵ。
【請求項７】
前記ＰｒｏＳｅ機能は、前記ディスカバリイーＷＴＲＵのホーム公衆陸上移動体ネットワーク（ＨＰＬＭＮ）内にあることを特徴とする請求項５に記載のディスカバリイーＷＴＲＵ。
【請求項８】
ディスカバラー無線送受信ユニット（ＷＴＲＵ）によって実行されるモデルＢプロキシミティサービス（ＰｒｏＳｅ）ディスカバリのための方法であって、
ＰｒｏＳｅ機能にディスカバリ要求を送るステップであって、前記ディスカバリ要求は、ＷＴＲＵ識別、コマンド、およびアプリケーション識別（ＩＤ）を少なくとも含む、ステップと、
前記ディスカバラーＷＴＲＵのための第１のＰｒｏＳｅコード、および少なくとも１つの関連付けられたディスカバリフィルタを含んでいるディスカバリ応答を前記ＰｒｏＳｅ機能から受信するステップと、
ＰＣ５インターフェイスを介して前記第１のＰｒｏＳｅコードを送るステップと、
ディスカバリイーＷＴＲＵから第２のＰｒｏＳｅコードを受信するステップと、
前記少なくとも１つの関連付けられたディスカバリフィルタを使用して前記第２のＰｒｏＳｅコードとの一致を検出するステップと、
一致が検出されたという条件で、前記ＰｒｏＳｅ機能に一致報告を送るステップと
を備えたことを特徴とする方法。
【請求項９】
前記ディスカバリ要求は、制限されたＰｒｏＳｅアプリケーション識別（ＩＤ）をさらに含むことを特徴とする請求項８に記載の方法。
【請求項１０】
前記少なくとも１つの関連付けられたディスカバリフィルタは、前記第１のＰｒｏＳｅコードに関連付けられた少なくとも１つの有効性タイマーを含むことを特徴とする請求項８に記載の方法。
【請求項１１】
前記ＰｒｏＳｅ機能は、前記ディスカバラーＷＴＲＵのホーム公衆陸上移動体ネットワーク（ＨＰＬＭＮ）内にあることを特徴とする請求項８に記載の方法。
【請求項１２】
ディスカバリイー無線送受信ユニット（ＷＴＲＵ）によって実行される、モデルＢプロキシミティサービス（ＰｒｏＳｅ）ディスカバリのための方法であって、
ＰｒｏＳｅ機能にディスカバリ要求を送るステップであって、前記ディスカバリ要求は、ＷＴＲＵ識別、コマンド、およびアプリケーション識別（ＩＤ）を少なくとも含む、ステップと、
前記ディスカバリイーＷＴＲＵのためのリンクされたＰｒｏＳｅコード、および少なくとも１つの関連付けられたディスカバリフィルタを含んでいるディスカバリ応答を前記ＰｒｏＳｅ機能から受信するステップと、
ＰＣ５インターフェースを介してディスカバラーＷＴＲＵから第１のＰｒｏＳｅコードを受信するステップと、
前記少なくとも１つの関連付けられたディスカバリフィルタを使用して前記第１のＰｒｏＳｅコードとの一致を検出するステップと、
一致が検出されたという条件で、前記ＰＣ５インターフェースを介して、前記リンクされたＰｒｏＳｅコードを送るステップと
を備えたことを特徴とする方法。
【請求項１３】
前記少なくとも１つの関連付けられたディスカバリフィルタは、前記リンクされたＰｒｏＳｅコードに関連付けられた少なくとも１つの有効性タイマーを含むことを特徴とする請求項１２に記載の方法。
【請求項１４】
前記ＰｒｏＳｅ機能は、前記ディスカバリイーＷＴＲＵのホーム公衆陸上移動体ネットワーク（ＨＰＬＭＮ）内にあることを特徴とする請求項１２に記載の方法。